(57)【要約】【課題】子局としての無線機を設置する作業の負担を低減することができる光クロージャおよびそれが用いられた光電波融合システムを提供する。【解決手段】クロージャ１００は、その内部に、１本の光ファイバケーブル５０を複数本の光ファイバケーブル５０に分岐する分岐器５００と、子局としての無線機１００とを備えている。また、子局としての無線機１００はアンテナ２００を有している。アンテナ２００から発信された電波は、筐体４００の上部板の内側面に取付けられた反射板３００によってクロージャ１０の下方に向かうように反射される。【選択図】図３
2009010595.tif 000002
【特許請求の範囲】
【請求項１】
筐体と、
前記筐体内に設けられ、１本の光ファイバケーブルを複数本の光ファイバケーブルに分岐する分岐器と、
前記筐体内に設けられ、前記光ファイバケーブル内において配信される情報を電波として発信する無線機とを備えた、光クロージャ。
【請求項２】
前記無線機は、アンテナを有し、
前記アンテナの上方の位置に前記アンテナから発信された電波を下方へ向けて反射する反射器が設けられた、請求項１に記載の光クロージャ。
【請求項３】
所定の情報を光アナログ信号として発信する親局と、
前記親局に接続され、前記光アナログ信号が伝送される光ファイバケーブルと、
前記光ファイバケーブルを分岐するための光クロージャとを備え、
前記光クロージャ内に前記光アナログ信号を電波として発信する子局としての無線機が設けられた、光電波融合システム。
【請求項４】
前記子局としての無線機はアンテナを有し、
前記アンテナの上方の位置に前記電波を下方へ向かって反射する反射器が設けられた、請求項３に記載の光電波融合システム。
【発明の詳細な説明】
【技術分野】
【０００１】
本発明は、光ファイバケーブルを分岐するために用いられる光クロージャおよびその光クロージャを有する光電波融合システムに関するものである。
【背景技術】
【０００２】
従来から、光電波融合技術を用いた無線システムが用いられている。以下、光電波融合技術を用いた無線システムの基本構成を説明する。
【０００３】
まず、光電波融合技術を用いた無線通信システムの対比となる従来方式の無線通信システムが説明される。従来方式においては、図６に示されるように、親局１０００は、インターネット等のネットワークに接続され、伝送路としての光ファイバケーブル５０を通じて子局５０００にネットワークから得た所定の情報を配信する。このとき、親局１０００は、光電変換によって光デジタル信号を生成し、光デジタル信号が光ファイバケーブル５０を通じて子局５０００へ伝送される。
【０００４】
また、子局５０００においては、所定の情報を含む光デジタル信号が無線機に入力され得る電気デジタル信号に変換される。また、子局５０００は、無線機１００を有している。この無線機１００は、電気デジタル信号を電波である電気アナログ信号に変換して、前述の所定の情報を電波として発信する。この電波に含まれる所定の情報は、携帯電話またはパーソナルコンピュータ等の受信端末によって受信される。
【０００５】
一方、光電波融合技術を用いた無線システムにおいては、図６および図７に示されるように、無線機１００は、親局１０００内に設けられている。親局１０００内の無線機１００は、所定の情報を含む電気デジタル信号を電気アナログ信号に変換し、さらにその電気アナログ信号が光電変換され、光アナログ信号として光ファイバケーブル５０内に発信される。光ファイバケーブル５０内においては、光アナログ信号が配信される。また、子局５０００は、電柱６０の近傍の位置に取付けられており、その光アナログ信号を光電変換によって電波に変換し、電波としてその所定の情報を発信する。
【０００６】
したがって、光電波融合技術を用いた無線通信システムによれば、従来方式の無線通信システムに比較して、子局５０００の構成がシンプルになっている。
【０００７】
また、光電波融合技術を用いた無線通信システムによれば、図８に示すように、１つの親局１０００は、複数の子局５０００のそれぞれに光ファイバケーブル５０によって接続され得るものであるため、１つの親局１０００から発信された情報が複数の子局５０００によって同時に電波として発信され得る。
【特許文献１】特開２００３−２４９８９８号公報
【特許文献２】特開２００３−２８９２８４号公報
【特許文献３】特開２００５−６０９７号公報
【特許文献４】特開２００３−１５２４１９号公報
【非特許文献１】電柱研報告  情報通信０２−０１９「光ファイバネットワークの動向とアクティブ光クロージャの提案」
【発明の開示】
【発明が解決しようとする課題】
【０００８】
上記従来の光電波融合技術を用いた無線通信システムにおいては、光ファイバケーブルを分岐するための光クロージャと、無線電波を発信する子局としての無線機とをそれぞれ別個に設ける必要があるため、それらの設置作業のための手間が煩雑でありかつその作業のためにかなりの時間を要している。
【０００９】
本発明は、上述の問題に鑑みなされたものであって、その目的は、光電波融合技術を用いた無線通信システムにおいて、光クロージャおよび子局としての無線機の設置作業の負担を低減することができる光クロージャおよびそれが用いられた光電波融合システムを提供することである。
【課題を解決するための手段】
【００１０】
本発明の光クロージャは、筐体と、筐体内に設けられ、１本の光ファイバケーブルを複数本の光ファイバケーブルに分岐する分岐器と、筐体内に設けられ、光ファイバケーブル内において配信される情報を電波として発信する無線機とを備えている。
【００１１】
上記の構成によれば、光ファイバケーブルを分岐するための分岐器と、光ファイバケーブル内において配信されている情報を電波として発信する無線機とが同一の筐体内に設けられている。そのため、光ファイバケーブルを分岐するための分岐器と子局として機能する無線機とを別個に設置する場合に比較して、それらの設置作業の負担が低減される。
【００１２】
また、光クロージャ内の無線機はアンテナを有し、アンテナの上方の位置にアンテナから発信された電波を下方へ向けて反射する反射器が設けられていることが望ましい。
【００１３】
上記の構成によれば、反射器がアンテナから上方へ向かって発信された電波を下方へ向かって反射するため、アンテナから発信された電波の指向性が高まる。その結果、１つの無線機から発信される情報を受信することができる領域が広がる。その結果、単位領域あたりの無線機の設置数を低減することができる。したがって、無線機を設置する作業の負担が低減される。
【００１４】
本発明の光電波融合システムは、所定の情報を光アナログ信号として発信する親局と、親局に接続され、光アナログ信号が伝送される光ファイバケーブルと、光ファイバケーブルを分岐するための光クロージャとを備え、光クロージャ内に光アナログ信号を電波として発信する子局としての無線機が設けられている。
【００１５】
上記の構成によれば、子局としての無線機およびクロージャの設置作業および交換作業の負担が低減されているため、光電波融合システムのメンテナンスの効率が向上する。
【００１６】
また、光クロージャ内に子局としての無線機のアンテナが設けられ、アンテナの上方の位置にアンテナから発信された電波を下方へ向かって反射する反射器が設けられていることが望ましい。
【００１７】
上記の構成によれば、１つの子局としての無線機から発信される情報を受信することができる領域が広がるため、極力広い地域に情報を配信することが容易になる。
【発明の効果】
【００１８】
本発明によれば、光電波融合技術を用いた無線通信システムにおいて、光クロージャおよび子局としての無線機の設置作業の負担を低減することができる光クロージャおよびそれが用いられた光電波融合システムが得られる。
【発明を実施するための最良の形態】
【００１９】
以下、図面を参照しながら、本発明の実施の形態の光クロージャおよびそれが用いられた光電波融合システムを説明する。なお、本実施の形態の光クロージャおよびそれが用いられた光電波融合システムの以下に説明される構成以外の構成は、前述した従来の光クロージャおよびそれが用いられた光電波融合システムの構成と同様である。
【００２０】
本実施の形態の光クロージャ１０は、図１〜図３に示されるように、筐体４００と、筐体４００内に設けられた子局としての無線機１００と、筐体４００内において無線機１００から延びるアンテナ２００と、筐体４００の上面部の下側に取付けられた反射板３００とを備えている。なお、反射板３００は、筐体４００の上面部の内側面と無線機１００との間に設けられていてもよい。さらに、反射板３００は、アンテナ２００から発信された電波を下方に向かって反射することができるのでれば、筐体４００の外部に設けられていてもよい。また、無線機１００は、光ファイバケーブル５０を分岐するための分岐器５００と一体的に形成されている。ただし、無線機１００は、分岐器５００とは別に設けられていてもよい。
【００２１】
反射板３００は、アンテナ２００から上方に向かって反射された電波を下方に向かって反射するように配置されている。なお、本実施の形態においては、本発明の反射器の一例として反射板が示されているが、アンテナ２００から上方へ向かって発信された電波を下方へ向かって反射する機能を有していれば、反射器の構造は板形状に限定されず、いかなる形状を有していてもよい。
【００２２】
また、無線機１００は、光ファイバケーブル５０に接続されている。本実施の形態においては、分岐器５００によって、１本の光ファイバケーブル５０が２本の光ファイバケーブル５０に分岐されている。なお、本実施の形態においては、光クロージャ１０内において、１本の光ファイバケーブル５０が２本の光ファイバケーブル５０に分岐される例が示されているが、１本の光ファイバケーブルから複数本の光ファイバケーブルに分岐される光クロージャであれば、本発明の光クロージャにおいて分岐される光ファイバケーブルの数は限定されない。
【００２３】
また、図４に示されるように、親局１０００は、光ファイバケーブル５０を通じて複数の光クロージャ１０に所定の情報を送信する。また、複数の光クロージャ１０のそれぞれは、分岐された光ファイバケーブル５０のそれぞれを通じて、さらなる複数の光クロージャ１０へ情報を伝達する。
【００２４】
なお、本実施の形態においては、光クロージャ１０は、電柱６０同士の間に敷設された架線７０に取付けられる。そのため、本実施の形態の光クロージャ１０には、筐体４００に吊下げ用リング１１および１２が設けられている。光クロージャ１０が架線７０に設置されるときには、吊下げ用リング１１および１２のそれぞれに架線７０が挿入される。その結果、架線７０によって光クロージャ１０が吊下げられる。また、光ファイバケーブル５０は、架線７０の下側において、架線７０に平行に延びるように、光クロージャ１０を貫通している。
【００２５】
本実施の形態の光クロージャ１０によれば、光ファイバケーブル５０を分岐するための分岐器５００と、光ファイバケーブル５０内において配信されている光アナログ信号からなる情報を電波として発信する無線機１００とが同一の筐体４００内に設けられている。そのため、光ファイバケーブルを分岐するための分岐器と子局として機能する無線機とを別個に設置する場合に比較して、それらの設置作業の負担が低減される。
【００２６】
また、子局としての無線機およびクロージャの設置作業および交換作業の負担が低減されているため、光電波融合システムのメンテナンスの効率が向上する。
【００２７】
また、本実施の形態の光クロージャ１０によれば、図３および図４に破線で示すように、電波がアンテナ２００から発信される。このとき、上方に向かう電波および下方に向かう電波のうち上方に向かう電波はアンテナ２００の上方に位置付けられた反射板３００によって反射される。それにより、アンテナ２００から発信された電波のすべてが光クロージャ１０の下側に向かうように方向付けられる。そのため、無線機１００が発信する電波の指向性が高まる。その結果、１つの無線機１００から発信される情報を受信する領域が広がる。したがって、単位領域あたりの無線機１００の設置数を低減することができる。故に、無線機１００を設置する作業の負担が低減される。
【００２８】
図５は、水平方向に延びる軸を基準として３６０°の範囲における本実施の形態の光クロージャ１０が発信する電波の指向性を測定した結果を示している。図５から、本実施の形態の反射板３００を有する光クロージャ１０を用いると、１２０°〜２７０°の範囲で測定器が受信した電界の強度が、従来の反射板を有しない光クロージャを用いる場合に測定器が受信した電界の強度に比較して、低下していることが分かる。
【００２９】
このことから、反射板３００がアンテナ２００の上方に設置されれば、電柱６０の上方に取付けられた光クロージャ１０から下側における電波の指向性が高まることが分かる。
【００３０】
したがって、本実施の形態の光電波融合システムによれば、１つの光クロージャ１０によって情報を配信できる領域が広がる。そのため、極力広い地域に情報を配信することが容易になる。
【００３１】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内のすべての変更が含まれることが意図される。
【図面の簡単な説明】
【００３２】
【図１】実施の形態の光クロージャの下面図である。
【図２】実施の形態の光クロージャの内部構成を示す斜視図であって、展開された筐体の一部を破断して示す図である。
【図３】実施の形態の光クロージャの断面図である。
【図４】実施の形態の光電波融合技術を用いた無線通信システムの概念図である。
【図５】実施の形態の光クロージャが用いられた場合における電波の指向性の向上を説明するための図である。
【図６】光電波融合技術を用いた従来の無線通信システムと光電波融合技術を用いていない従来の無線通信システムとの差を説明するための図である。
【図７】親局と子局との関係を説明するための図である。
【図８】従来の光電波融合技術を用いた無線通信システムにおける親局と子局との関係を説明するための図である。
【符号の説明】
【００３３】
１０  光クロージャ、１１，１２  吊下げ用リング、５０  光ファイバケーブル、６０  電柱、７０  架線、１００  無線機、２００  アンテナ、３００  反射板、４００  筐体、５００  分岐器、１０００  親局、５０００  子局。
【図１】
2009010595.tif 000003
【図２】
2009010595.tif 000004
【図３】
2009010595.tif 000005
【図４】
2009010595.tif 000006
【図５】
2009010595.tif 000007
【図６】
2009010595.tif 000008
【図７】
2009010595.tif 000009
【図８】
2009010595.tif 000010